(57)【要約】      （修正有）【課題】十分に低背化されているにも関わらず、軸上色収差や像面湾曲が良好に補正された、５枚構成の小型の撮像レンズを提供する。【解決手段】物体側より順に、物体側が凸面を有する第１レンズＬ１、第２レンズＬ２、第３レンズＬ３、第４レンズＬ４、負の屈折力を有し、像側面に極値を有する第５レンズＬ５からなり、以下の条件式を満足する。−０．１５＜（ｎ３−１）／ｒ５×ｆ＜０．１５、−０．１５＜（１−ｎ３）／ｒ６×ｆ＜０．１５、−０．１５＜（ｎ４−１）／ｒ７×ｆ＜０．１５、−１．５＜ｆ／ｆ２＜−０．５。但し、ｒ５：第３レンズＬ３の物体側面の曲率半径、ｒ６：第３レンズＬ３の像側面の曲率半径、ｒ７：第４レンズＬ４の物体側面の曲率半径、ｎ３：第３レンズＬ３のｄ線に対する屈折率、ｎ４：第４レンズＬ４のｄ線に対する屈折率、ｆ２：第２レンズＬ２のｄ線に対する焦点距離、ｆ：撮像レンズ全系のｄ線に対する焦点距離。【選択図】図５
2015084066.tif 000002
【特許請求の範囲】
【請求項１】
固体撮像素子の撮像面に被写体像を結像させるための撮像レンズであって、前記撮像レンズは物体側より順に、正の屈折力を有し、物体側が凸面を有する第１レンズ、第２レンズ、第３レンズ、第４レンズ、負の屈折力を有し、像側面に極値を有する第５レンズからなり、以下の条件式を満足することを特徴とする撮像レンズ。
−０．１５＜（ｎ３−１）／ｒ５×ｆ＜０．１５      （１）
−０．１５＜（１−ｎ３）／ｒ６×ｆ＜０．１５      （２）
−０．１５＜（ｎ４−１）／ｒ７×ｆ＜０．１５      （３）
−１．５＜ｆ／ｆ２＜−０．５      （４）
但し、
ｒ５：前記第３レンズの物体側面の曲率半径（ｍｍ）
ｒ６：前記第３レンズの像側面の曲率半径（ｍｍ）
ｒ７：前記第４レンズの物体側面の曲率半径（ｍｍ）
ｎ３：前記第３レンズのｄ線に対する屈折率
ｎ４：前記第４レンズのｄ線に対する屈折率
ｆ２：前記第２レンズのｄ線に対する焦点距離（ｍｍ）
ｆ：前記撮像レンズ全系のｄ線に対する焦点距離（ｍｍ）
【請求項２】
固体撮像素子の撮像面に被写体像を結像させるための撮像レンズであって、前記撮像レンズは物体側より順に、正の屈折力を有し、物体側が凸面を有する第１レンズ、第２レンズ、第３レンズ、第４レンズ、負の屈折力を有し、像側面に極値を有する第５レンズからなり、以下の条件式を満足することを特徴とする撮像レンズ。
−１．５Ｅ−０４＜ＳＡＧ５／ｆ＜１．５Ｅ−０４      （５）
−１．５Ｅ−０４＜ＳＡＧ６／ｆ＜１．５Ｅ−０４      （６）
−１．５Ｅ−０４＜ＳＡＧ７／ｆ＜１．５Ｅ−０４      （７）
−１．５＜ｆ／ｆ２＜−０．５      （８）
但し、
ＳＡＧ５：前記第３レンズの物体側面における光軸からＩｍｇＨ／２０の位置のサグ量（ｍｍ）
ＳＡＧ６：前記第３レンズの像側面における光軸からＩｍｇＨ／２０の位置のサグ量（ｍｍ）
ＳＡＧ７：前記第４レンズの物体側面における光軸からＩｍｇＨ／２０の位置のサグ量（ｍｍ）
ＩｍｇＨ：最大像高（ｍｍ）
ｆ２：前記第２レンズのｄ線に対する焦点距離（ｍｍ）
ｆ：前記撮像レンズ全系のｄ線に対する焦点距離（ｍｍ）
【請求項３】
以下の条件式を満足することを特徴とする請求項１又は２に記載の撮像レンズ。
０．０２＜ｔ２／ＴＴＬ＜０．０８      （９）
但し、
ｔ２：前記第２レンズの軸上厚さ（ｍｍ）
ＴＴＬ：前記第１レンズにおける物体側面から像側焦点までの光軸上の距離（ｍｍ）
（像側焦点とは撮像レンズに光軸と平行な平行光線が入射した場合の像点をいう）
【請求項４】
以下の条件式を満足することを特徴とする請求項１〜３のいずれかに記載の撮像レンズ。
０．６＜ｆ／ｆ１２＜０．８      （１０）
但し、
ｆ１２：ｄ線に対する前記第１レンズと前記第２レンズの合成焦点距離（ｍｍ）
【請求項５】
前記第１レンズの像側面より物体側に開口絞りを有することを特徴とする請求項１〜４のいずれかに記載の撮像レンズ。
【請求項６】
以下の条件式を満足することを特徴とする請求項１〜５のいずれかに記載の撮像レンズ。
０．０５＜ｄ４５／ｆ＜０．０８      （１１）
但し、
ｄ４５：前記第４レンズと前記第５レンズの軸上空気間隔（ｍｍ）
【請求項７】
前記第４レンズは正の屈折力を有するレンズであることを特徴とする請求項６に記載の撮像レンズ。
【請求項８】
全てのレンズがプラスチックから形成されていることを特徴とする請求項１〜７のいずれかに記載の撮像レンズ。
【請求項９】
実質的に屈折力を持たない光学素子を更に有することを特徴とする請求項１〜８のいずれかに記載の撮像レンズ。
【請求項１０】
請求項１〜９のいずれかに記載の撮像レンズと、固体撮像素子とを備えることを特徴とする撮像装置。
【請求項１１】
請求項１０に記載の撮像装置を備えることを特徴とする携帯端末。
【発明の詳細な説明】
【技術分野】
【０００１】
本発明は撮像レンズ、特には、ＣＣＤ型イメージセンサあるいはＣＭＯＳ型イメージセンサ等の固体撮像素子を用いた小型で高い解像度が得られる撮像レンズ、およびこれを備える撮像装置並びに携帯端末に関する。
【背景技術】
【０００２】
近年、CCD（Charge Coupled Device）型イメージセンサあるいはCMOS（Complementary Metal Oxide Semiconductor）型イメージセンサ等の固体撮像素子を用いた撮像装置が搭載された携帯端末が普及している。このような携帯端末に搭載される撮像装置においても、より高画質の画像が得られるよう、高画素数の撮像素子を使用したものが市場に供給されるようになってきた。従来の高画素数をもつ撮像素子は、大型化をともなっていたが、近年、画素の高細化が進み、撮像素子が小型化され高細密化されるようになってきた。
【０００３】
このような高細密化された撮像素子に被写体像を結像する撮像レンズには、高い光学性能が要求される。これに対し小型で高性能なレンズとして、３枚あるいは４枚構成のレンズに比べ収差補正機能が高く高性能化が可能であるという理由で、５枚構成の撮像レンズが提案されている（特許文献１，２参照）。一方で、携帯端末用の撮像装置に用いる為には、５枚構成の撮像レンズであっても、全長を短くした低背化，軽量化も従来と同様に必要とされている。撮像レンズの低背化を実現する１つの方策として、特許文献１に示すように、正レンズ群を物体側に配置する，所謂テレフォトタイプとすることが考えられる。
【先行技術文献】
【特許文献】
【０００４】
【特許文献１】国際公開第2013/014850号パンフレット
【特許文献２】米国特許第8379324号明細書
【発明の概要】
【発明が解決しようとする課題】
【０００５】
ここで、特許文献１について検討するに、その実施例１の撮像レンズは、物体側から３番目のレンズの物体側面及び像側面、４番目のレンズの物体側面が、光軸付近で略平坦であって殆ど屈折力を持たないので、テレフォトタイプの特性を利用して低背化に貢献するとともに、最も物体側のレンズの曲率を抑えて成形性を確保するとともに周辺光束の球面収差を良好なものとしている。しかしながら、第２レンズの負の屈折力が強すぎるため、軸上色収差や像面湾曲が劣化しているという問題がある。一方、特許文献１における他の実施例の撮像レンズ、及び特許文献２の撮像レンズでは、物体側から３番目のレンズの物体側面及び像側面、４番目のレンズの物体側面が、強いパワーを有するため、テレフォトタイプの特性を有効に利用できないという問題がある。
【０００６】
本発明は、上記した問題に鑑み、十分に低背化されているにも関わらず、軸上色収差や像面湾曲が良好に補正された、５枚構成の小型の撮像レンズ、該撮像レンズを備えた撮像装置、及び該撮像装置を備えた携帯端末を提供することを目的とする。
【課題を解決するための手段】
【０００７】
請求項１に記載の撮像レンズは、固体撮像素子の撮像面に被写体像を結像させるための撮像レンズであって、前記撮像レンズは物体側より順に、正の屈折力を有し、物体側が凸面を有する第１レンズ、第２レンズ、第３レンズ、第４レンズ、負の屈折力を有し、像側面に極値を有する第５レンズからなり、以下の条件式を満足することを特徴とする。
−０．１５＜（ｎ３−１）／ｒ５×ｆ＜０．１５      （１）
−０．１５＜（１−ｎ３）／ｒ６×ｆ＜０．１５      （２）
−０．１５＜（ｎ４−１）／ｒ７×ｆ＜０．１５      （３）
−１．５＜ｆ／ｆ２＜−０．５      （４）
但し、
ｒ５：前記第３レンズの物体側面の曲率半径（ｍｍ）
ｒ６：前記第３レンズの像側面の曲率半径（ｍｍ）
ｒ７：前記第４レンズの物体側面の曲率半径（ｍｍ）
ｎ３：前記第３レンズのｄ線に対する屈折率
ｎ４：前記第４レンズのｄ線に対する屈折率
ｆ２：前記第２レンズのｄ線に対する焦点距離（ｍｍ）
ｆ：前記撮像レンズ全系のｄ線に対する焦点距離（ｍｍ）
【０００８】
本発明の撮像レンズは、物体側のレンズ群に正の屈折力を配し、像側のレンズ群に負の屈折力を配した、いわゆるテレフォトタイプである。このレンズ構成は、撮像レンズ全長の短縮すなわち撮像レンズや撮像装置の小型化に有利な構成である。尚、「極値」とは、光軸に沿った断面において第５レンズの像側面を曲線で示したとき、当該曲線の１階微分値がゼロとなる点をいうものとする。
【０００９】
ここで、テレフォトタイプの５枚の撮像レンズにおいて、光軸方向中心付近、つまり第３レンズの物体側面及び像側面、第４レンズの物体側面の３面に強い正の屈折力を持たせすぎると、テレフォトタイプの特性が弱まるため、薄型化に不利となる。逆に当該３面に強い負の屈折力を持たせすぎると、全系の屈折力を所望の値に維持するために第１レンズに強い正の屈折力を持たせる必要が生じる。かかる場合、低背を維持しつつ第２レンズとの干渉を回避しようとすると第１レンズの像側面の曲率をきつくすることが困難となるから、その代わりに物体側面の曲率をきつくせざるを得ず、これにより第１レンズの成形性悪化や周辺光束の球面収差劣化を招く恐れがある。
【００１０】
そこで、（１）〜（３）式を満たすことで、第３レンズの物体側面及び像側面、第４レンズの物体側面の近軸付近を略平坦として、各面に強い負でもなく、且つ強い正でもない屈折力を持たせることで、テレフォトタイプの特性を有効に発揮できるようになる。加えて当該３面の面偏芯誤差が小さくなり成形性が向上し、特に第３レンズに関しては組み立て誤差も低減するというメリットがある。
【００１１】
しかるに、本発明者らは、（１）〜（３）式を満たすのみでは、全体としては像面湾曲が悪化し、また、低背化を目指すべく第１レンズに強い正の屈折力を持たせることで軸上色収差の補正が不足する恐れがあるという、従来技術では問題となっていなかった事象に着目した。そして鋭意研究の結果、第２レンズの負の屈折力を（４）式に満たすように規定することで、像面湾曲と軸上色収差の補正を良好に行えることを見いだしたのである。より具体的には、（４）式の値が上限を下回ることで、第３レンズの物体側面及び像側面、第４レンズの物体側面の３面の代わりに、第２レンズの負の屈折力により像面湾曲が補正され、（４）式の範囲にすることで、第１レンズの正の強い屈折力で主に生じる軸上色収差を第２レンズの負の屈折力でキャンセルすることができるのである。
【００１２】
請求項２に記載の撮像レンズは、固体撮像素子の撮像面に被写体像を結像させるための撮像レンズであって、前記撮像レンズは物体側より順に、正の屈折力を有し、物体側が凸面を有する第１レンズ、第２レンズ、第３レンズ、第４レンズ、負の屈折力を有し、像側面に極値を有する第５レンズからなり、以下の条件式を満足することを特徴とする。
−１．５Ｅ−０４＜ＳＡＧ５／ｆ＜１．５Ｅ−０４      （５）
−１．５Ｅ−０４＜ＳＡＧ６／ｆ＜１．５Ｅ−０４      （６）
−１．５Ｅ−０４＜ＳＡＧ７／ｆ＜１．５Ｅ−０４      （７）
−１．５＜ｆ／ｆ２＜−０．５      （８）
但し、
ＳＡＧ５：前記第３レンズの物体側面における光軸からＩｍｇＨ／２０の位置のサグ量（ｍｍ）
ＳＡＧ６：前記第３レンズの像側面における光軸からＩｍｇＨ／２０の位置のサグ量（ｍｍ）
ＳＡＧ７：前記第４レンズの物体側面における光軸からＩｍｇＨ／２０の位置のサグ量（ｍｍ）
ＩｍｇＨ：最大像高（ｍｍ）
ｆ２：前記第２レンズのｄ線に対する焦点距離（ｍｍ）
ｆ：前記撮像レンズ全系のｄ線に対する焦点距離（ｍｍ）
【００１３】
本発明の撮像レンズは、物体側のレンズ群に正の屈折力を配し、像側のレンズ群に負の屈折力を配した、いわゆるテレフォトタイプである。このレンズ構成は、撮像レンズ全長の短縮すなわち撮像レンズや撮像装置の小型化に有利な構成である。
【００１４】
ここで、テレフォトタイプの５枚の撮像レンズにおいて、光軸方向中心付近、つまり第３レンズの物体側面及び像側面、第４レンズの物体側面の３面に強い正の屈折力を持たせすぎると、テレフォトタイプの特性が弱まるため、薄型化に不利となる。逆に当該３面に強い負の屈折力を持たせすぎると、全系の屈折力を所望の値に維持するために第１レンズに強い正の屈折力を持たせる必要が生じる。かかる場合、低背を維持しつつ第２レンズとの干渉を回避しようとすると第１レンズの像側面の曲率をきつくすることが困難となるから、その代わりに物体側面の曲率をきつくせざるを得ず、これにより第１レンズの成形性悪化や周辺光束の球面収差劣化を招く恐れがある。
【００１５】
そこで、（５）〜（７）式を満たすことで、第３レンズの物体側面及び像側面、第４レンズの物体側面の略平坦として、各面に強い負でもなく、且つ強い正でもない屈折力を持たせることで、テレフォトタイプの特性を有効に発揮できるようになる。加えて当該３面の面偏芯誤差が小さくなり成形性が向上し、特に第３レンズに関しては組み立て誤差も低減するというメリットがある。尚、「サグ量」とは、レンズ面における面頂点から所定の点（ここでは光軸から最大像高ＩｍｇＨの２０分の１の位置）までの光軸方向距離をいう。「サグ」量は近軸領域における光学面の形状を表すため、実質、面の近軸パワーと同意義である。
【００１６】
しかるに、本発明者らは、（５）〜（７）式を満たすのみでは、全体としては像面湾曲が悪化し、また、低背化を目指すべく第１レンズに強い正の屈折力を持たせることで軸上色収差の補正が不足する恐れがあるという、従来技術では問題となっていなかった事象に着目した。そして鋭意研究の結果、第２レンズの負の屈折力を（８）式に満たすように規定することで、像面湾曲と軸上色収差の補正を良好に行えることを見いだしたのである。より具体的には、（８）式の値が上限を下回ることで、第３レンズの物体側面及び像側面、第４レンズの物体側面の３面の代わりに、第２レンズの負の屈折力により像面湾曲が補正され、（８）式の範囲にすることで、第１レンズの正の強い屈折力で主に生じる軸上色収差を第２レンズの負の屈折力でキャンセルすることができるのである。
【００１７】
請求項３に記載の撮像レンズは、請求項１又は２に記載の発明において、以下の条件式を満足することを特徴とする。
０．０２＜ｔ２／ＴＴＬ＜０．０８      （９）
但し、
ｔ２：前記第２レンズの軸上厚さ（ｍｍ）
ＴＴＬ：前記第１レンズにおける物体側面から像側焦点までの光軸上の距離（ｍｍ）
（像側焦点とは撮像レンズに光軸と平行な平行光線が入射した場合の像点をいう）
【００１８】
（９）式の値を上限より小さくすることで、第２レンズと隣接するレンズとの間にスペースを確保でき、第２レンズの面の屈折力を強めるために曲率半径を小さくしても、隣接する面との干渉を抑制できる。一方、（９）式の値を下限より大きくすることで、第２レンズに軸上厚さが厚くなり、また軸上厚さが厚くなれば第２レンズの屈折力を一部分担することで面のサグ量が大きくなり過ぎないため、成形性が向上する。なお、ＴＴＬとは第１レンズにおける物体側面から像側焦点までの光軸上の距離を表す。像側焦点とは撮像レンズに光軸に平行な光線が入射した場合の近軸像点であり、第１レンズにおける物体側面と像側焦点位置との間に、光学的ローパスフィルタ、赤外線カットフィルタ、または固体撮像素子パッケージのシールガラス等の平行平板が配置される場合には、平行平板部分は空気換算距離としたうえで上記ＴＴＬの値を計算するものとする。  
【００１９】
請求項４に記載の撮像レンズは、請求項１〜３のいずれかに記載の発明において、以下の条件式を満足することを特徴とする。
０．６＜ｆ／ｆ１２＜０．８      （１０）
但し、
ｆ１２：ｄ線に対する前記第１レンズと前記第２レンズの合成焦点距離（ｍｍ）
【００２０】
（１０）式の値が下限を上回ることで、第１レンズと第２レンズの正の合成焦点距離を適度に維持することができるため、全系の主点位置をより物体側に配置することができ、撮像レンズ全長を短くすることができる。一方、（１０）式の値が上限を下回ることで、第１レンズと第２レンズの正の合成焦点距離が必要以上に小さくなりすぎず、第１レンズや第２レンズで発生する高次の球面収差やコマ収差を小さく抑えることができ、第１レンズ、第２レンズ個々の屈折力を適度に抑えることによって、製造誤差に対する像面変動を小さくすることができる。
【００２１】
請求項５に記載の撮像レンズは、請求項１〜４のいずれかに記載の発明において、前記第１レンズの像側面より物体側に開口絞りを有することを特徴とする。
【００２２】
第１レンズの像側面より物体側に開口絞りを有することによって、第５レンズに入射する軸外光束の入射角度を小さくすることができ、フォーカシングするために撮像レンズを光軸方向に変位させる場合に、軸外光束のスポット位置変化を抑制しつつ、良好なテレセントリック特性を実現することができる。
【００２３】
請求項６に記載の撮像レンズは、請求項１〜５のいずれかに記載の発明において、以下の条件式を満足することを特徴とする。
０．０５＜ｄ４５／ｆ＜０．０８      （１１）
但し、
ｄ４５：前記第４レンズと前記第５レンズの軸上空気間隔（ｍｍ）
【００２４】
（１１）式の値が上限を下回ることで、第４レンズと第５レンズとの間隔が大きくなることによる全長の増大を抑えることができる。一方、（１１）式の値が下限を上回ることで、第２レンズで強く跳ね上げられた軸外光線を各面での屈折角を小さく抑えながら第５レンズに導くことができ、軸外の収差を良好に抑えることができる。
【００２５】
請求項７に記載の撮像レンズは、請求項６に記載の発明において、前記第４レンズは正の屈折力を有するレンズであることを特徴とする。
【００２６】
第４レンズが正の屈折力を有するレンズであると、射出瞳位置をより物体側へ配置し、良好なテレセントリック特性を確保することができる。  
【００２７】
請求項８に記載の撮像レンズは、請求項１〜７のいずれかに記載の発明において、全てのレンズがプラスチックから形成されていることを特徴とする。
【００２８】
請求項９に記載の撮像レンズは、請求項１〜８のいずれかに記載の発明において、実質的に屈折力を持たない光学素子を更に有することを特徴とする。つまり、請求項１の構成に、実質的に屈折力を持たない光学素子を付与した場合でも本発明の適用範囲内である。
【００２９】
請求項１０に記載の撮像装置は、請求項１から９のいずれかに１項に記載の撮像レンズと、撮像素子とを備えることを特徴とする。
【００３０】
請求項１１に記載の携帯端末は、請求項１０に記載の撮像装置を備えることを特徴とする。本発明の撮像装置を用いることで、より小型かつ高性能な携帯端末を得ることができる。
【発明の効果】
【００３１】
本発明によれば、十分な明るさを有し、諸収差が良好に補正された、５枚構成の小型の撮像レンズ、該撮像レンズを備えた撮像装置、及び該撮像装置を備えた携帯端末を提供することができる。
【図面の簡単な説明】
【００３２】
【図１】本実施の形態にかかる撮像ユニット５０の斜視図である。
【図２】撮像ユニット５０の撮像光学系の光軸に沿った断面を模式的に示した図である。
【図３】撮像ユニットを適用した携帯端末としてのスマートフォンの正面図（ａ）、及び撮像ユニットを適用したスマートフォンの背面図（ｂ）である。
【図４】図３のスマートフォンの制御ブロック図である。
【図５】実施例１の撮像レンズの光軸方向断面図である。
【図６】実施例１の収差図（球面収差（ａ）、非点収差（ｂ）、歪曲収差（ｃ））である。
【図７】実施例２の撮像レンズの光軸方向断面図である。
【図８】実施例２の収差図（球面収差（ａ）、非点収差（ｂ）、歪曲収差（ｃ））である。
【図９】実施例３の撮像レンズの光軸方向断面図である。
【図１０】実施例３の収差図（球面収差（ａ）、非点収差（ｂ）、歪曲収差（ｃ））である。
【図１１】実施例４の撮像レンズの光軸方向断面図である。
【図１２】実施例４の収差図（球面収差（ａ）、非点収差（ｂ）、歪曲収差（ｃ））である。
【図１３】実施例５の撮像レンズの光軸方向断面図である。
【図１４】実施例５の収差図（球面収差（ａ）、非点収差（ｂ）、歪曲収差（ｃ））である。
【図１５】実施例６の撮像レンズの光軸方向断面図である。
【図１６】実施例６の収差図（球面収差（ａ）、非点収差（ｂ）、歪曲収差（ｃ））である。
【図１７】実施例７の撮像レンズの光軸方向断面図である。
【図１８】実施例７の収差図（球面収差（ａ）、非点収差（ｂ）、歪曲収差（ｃ））である。
【図１９】実施例８の撮像レンズの光軸方向断面図である。
【図２０】実施例８の収差図（球面収差（ａ）、非点収差（ｂ）、歪曲収差（ｃ））である。
【図２１】実施例９の撮像レンズの光軸方向断面図である。
【図２２】実施例９の収差図（球面収差（ａ）、非点収差（ｂ）、歪曲収差（ｃ））である。
【図２３】実施例１０の撮像レンズの光軸方向断面図である。
【図２４】実施例１０の収差図（球面収差（ａ）、非点収差（ｂ）、歪曲収差（ｃ））である。
【図２５】コート（１）の反射特性を示す図であり、縦軸が反射率、横軸が入射光の波長である。
【図２６】コート（２）の反射特性を示す図であり、縦軸が反射率、横軸が入射光の波長である。
【発明を実施するための形態】
【００３３】
以下、本発明の実施の形態を、図面を参照して説明する。図１は、本実施の形態にかかる撮像ユニット（撮像装置）５０の斜視図であり、図２は、撮像ユニット５０の撮像レンズの光軸に沿った断面を模式的に示した図であり、具体的には実施例１に相当するバレル付レンズ断面図である。
【００３４】
図１、２に示すように、撮像ユニット５０は、光電変換部５１ａを有する固体撮像素子としてのＣＭＯＳ型撮像素子５１と、この撮像素子５１の光電変換部５１ａに被写体像を撮像させる撮像レンズ１０と、撮像レンズ１０を保持する鏡筒５３と、撮像レンズ１０と撮像素子５１の間に配置された平行平板状の光学フィルタ５４と、撮像レンズ１０を駆動するアクチュエータ５５と、撮像素子５１を実装した基板５２と、撮像レンズ１０及びアクチュエータ５５を保持する台座部材５７とを有する。
【００３５】
図２に示すように、撮像素子５１は、その受光側の平面の中央部に、画素（光電変換素子）が２次元的に配置された、受光部としての光電変換部５１ａが形成されており、その周囲には信号処理回路（不図示）が形成されている。かかる信号処理回路は、各画素を順次駆動し信号電荷を得る駆動回路部と、各信号電荷をデジタル信号に変換するＡ／Ｄ変換部と、このデジタル信号を用いて画像信号出力を形成する信号処理部等から構成されている。また、撮像素子５１の受光側の平面の外縁近傍には、多数のパッド（図示略）が配置されており、ワイヤ５１ｂを介して基板５２に接続されている。撮像素子５１は、光電変換部５１ａからの信号電荷をデジタルＹＵＶ信号等の画像信号等に変換し、ワイヤ５１ｂを介して基板５２上の所定の回路に出力する。ここで、Ｙは輝度信号、Ｕ（＝Ｒ−Ｙ）は赤と輝度信号との色差信号、Ｖ（＝Ｂ−Ｙ)は青と輝度信号との色差信号である。なお、撮像素子は上記ＣＭＯＳ型のイメージセンサに限定されるものではなく、ＣＣＤ等の他のものを使用しても良い。
【００３６】
樹脂により一体成形された台座部材５７は、全体的に直方体の筐体状であり、撮像素子５１を囲うように設けられた４つの側壁部５７ａと、その上端に交差する上壁部５７ｂとを有する。上壁部５７ｂの中央には、矩形状の開口５７ｃが形成されており、かかる開口５７ｃを覆うようにして上壁部５７ｂに光学フィルタ５４が取り付けられている。基板５２は、その上面で撮像素子５１及び台座部材５７を支持している。
【００３７】
アクチュエータ５５は、鏡筒５３にねじ込まれた筒状のキャリヤ５５ａと、キャリヤ５５ａに取り付けられ光軸方向に延在するコイル５５ｂと、コイル５５ｂに対抗して配置された磁石５５ｃと、磁石５５ｃを支持した筐体状のヨーク５５ｄとからなっている。コイル５５ｂは、不図示の配線を介して外部回路に接続されている。ヨーク５５ｄの下端は、台座部材５７の上壁部５７ｂ上に接着されている。また、キャリヤ５５ａは不図示の弾性部材により撮像素子５１方向に付勢されている。
【００３８】
鏡筒５３の物体側に、小開口（ここでは開口絞り）Ｓが設けられたフランジ部５３ａが形成されている。又、ここでは、開口絞り以外に、軸外光線やレンズ間多重反射によるゴーストカットのための遮光絞りＳＨを、レンズ間に配置している。遮光絞りはレンズ間に配置するが、物体側に設けるほど、また複数のレンズ間に配置するほど遮光率を高め、ゴーストや迷光を回避することができる。遮光絞りＳＨの厚さは１０〜１００μｍである。
【００３９】
鏡筒５３内に配置された撮像レンズ１０は、物体側より順に、物体側が凸面を有する第１レンズＬ１、第２レンズＬ２、第３レンズＬ３、第４レンズＬ４、負の屈折力を有し、像側面に極値を有する第５レンズＬ５からなり、以下の条件式を満足する。
−０．１５＜（ｎ３−１）／ｒ５×ｆ＜０．１５      （１）
−０．１５＜（１−ｎ３）／ｒ６×ｆ＜０．１５      （２）
−０．１５＜（ｎ４−１）／ｒ７×ｆ＜０．１５      （３）
−１．５＜ｆ／ｆ２＜−０．５      （４）
但し、
ｒ５：第３レンズＬ３の物体側面の曲率半径（ｍｍ）
ｒ６：第３レンズＬ３の像側面の曲率半径（ｍｍ）
ｒ７：第４レンズＬ４の物体側面の曲率半径（ｍｍ）
ｎ３：第３レンズＬ３のｄ線に対する屈折率
ｎ４：第４レンズＬ４のｄ線に対する屈折率
ｆ２：第２レンズＬ２のｄ線に対する焦点距離（ｍｍ）
ｆ：撮像レンズ全系のｄ線に対する焦点距離（ｍｍ）
【００４０】
また、撮像レンズ１０は、以下の条件式を満足する。
−１．５Ｅ−０４＜ＳＡＧ５／ｆ＜１．５Ｅ−０４      （５）
−１．５Ｅ−０４＜ＳＡＧ６／ｆ＜１．５Ｅ−０４      （６）
−１．５Ｅ−０４＜ＳＡＧ７／ｆ＜１．５Ｅ−０４      （７）
−１．５＜ｆ／ｆ２＜−０．５      （８）
但し、
ＳＡＧ５：第３レンズＬ３の物体側面における光軸からＩｍｇＨ／２０の位置のサグ量（ｍｍ）
ＳＡＧ６：第３レンズＬ３の像側面における光軸からＩｍｇＨ／２０の位置のサグ量（ｍｍ）
ＳＡＧ７：第４レンズＬ４の物体側面における光軸からＩｍｇＨ／２０の位置のサグ量（ｍｍ）
ＩｍｇＨ：最大像高（ｍｍ）
ｆ２：第２レンズＬ２のｄ線に対する焦点距離（ｍｍ）
ｆ：撮像レンズ全系のｄ線に対する焦点距離（ｍｍ）
【００４１】
レンズＬ１〜Ｌ２のフランジ部同士が直接突き当てられ、光軸間距離が適正に維持されており、レンズＬ２〜Ｌ５のフランジ部間には、それぞれ厚みが管理された遮光部材ＳＨが挟持されてなり、これにより光軸間距離が適正に維持されている。また、鏡筒５３と第５レンズＬ５は接着されている。この接着剤はＵＶ硬化性樹脂や熱硬化性樹脂を使用するが、ゴースト回避の目的でカーボンを混入したものを使用する場合もある。また、各レンズには反射防止コートが施されるが、コートの仕様には、図２５に例示した通常仕様のコート（１）や、図２６に例示したゴーストの色味や強度を変える目的で使用するコート（２）等があり、適宜選択して使用する。
【００４２】
上述した撮像ユニット５０の動作について説明する。図３は、撮像ユニット５０を携帯端末としてのスマートフォン１００に装備した状態を示す図である。また、図４はスマートフォン１００の制御ブロック図である。
【００４３】
撮像ユニット５０は、例えば、筐体５３の物体側端面がスマートフォン１００の背面（図３（ｂ）参照）に設けられ、タッチパネル７０の裏側に相当する位置に配設される。
【００４４】
撮像ユニット５０は、スマートフォン１００の制御部１０１と接続され、輝度信号や色差信号等の画像信号を制御部１０１側に出力する。
【００４５】
一方、スマートフォン１００は、図４に示すように、各部を統括的に制御すると共に、各処理に応じたプログラムを実行する制御部（ＣＰＵ）１０１と、番号等をキーにより指示入力するための入力部６０と、所定のデータの他に撮像した映像等を表示する液晶表示部７０と、外部サーバとの間の各種情報通信を実現するための無線通信部８０と、携帯電話機１００のシステムプログラムや各種処理プログラム及び端末ＩＤ等の必要な諸データを記憶している記憶部（ＲＯＭ）９１と、制御部１０１によって実行される各種処理プログラムやデータ、若しくは処理データ、或いは撮像ユニット５０により得られた撮像データ等を一時的に格納する作業領域として用いられる及び一時記憶部（ＲＡＭ）９２とを備えている。
【００４６】
スマートフォン１００は、入力キー部６０の操作によって動作し、タッチパネル（表示部）７０に表示されたアイコン７１等をタッチすることで、撮像ユニット５０を動作させて撮像を行うことができる。このとき、アクチュエータ５５を駆動することで、撮像レンズ１０とともに鏡筒５３を光軸方向に移動させフォーカシングを行うことができる。撮像ユニット５０から入力された画像信号は、制御部１０１で後述する画像処理を施され、上記スマートフォン１００の制御系により、記憶部９２に記憶されたり、或いはタッチパネル７０で表示され、さらには、無線通信部８０を介して映像情報として外部に送信される。
【００４７】
［実施例］
以下、本発明の撮像レンズの実施例を示す。各実施例に使用する記号は下記の通りである。
ｆ：撮像レンズ全系の焦点距離
ｆＢ：バックフォーカス
Ｆ：Ｆナンバー
２Ｙ：固体撮像素子の撮像面対角線長
ENTP：入射瞳位置（第１面から入射瞳位置までの距離）
EXTP：射出瞳位置（撮像面から射出瞳位置までの距離）
H1：前側主点位置（第１面から前側主点位置までの距離）
H2：後側主点位置（最終面から後側主点位置までの距離）
Ｒ：曲率半径
Ｄ：軸上面間隔
Ｎｄ：レンズ材料のｄ線に対する屈折率
νｄ：レンズ材料のｄ線に対するアッベ数
【００４８】
各実施例において、各面番号の後に「＊」が記載されている面が非球面形状を有する面であり、非球面の形状は、面の頂点を原点とし、光軸方向にＸ軸をとり（像側をプラス）、光軸と垂直方向の高さをｈとして以下の「数１」で表す。
【００４９】
【数１】
2015084066.tif 000003
ただし、
Ａｉ：ｉ次の非球面係数
Ｒ  ：曲率半径
Ｋ  ：円錐定数
【００５０】
なお、特許請求の範囲及び実施例に記載の近軸曲率半径の意味合いについて、実際のレンズ測定の場面においては、レンズ中央近傍（具体的には、レンズ外径に対して１０％以内の中央領域）での形状測定値を最小自乗法でフィッティングした際の近似曲率半径を近軸曲率半径であるとみなすことができる。また、例えば２次の非球面係数を使用した場合には、非球面定義式の基準曲率半径に２次の非球面係数も勘案した曲率半径を近軸曲率半径とみなすことができる。（例えば参考文献として、松居吉哉著「レンズ設計法」（共立出版株式会社）のＰ４１〜４２を参照のこと）
【００５１】
（実施例１）
実施例１のレンズデータを表１に示す。なお、本明細書中（表のレンズデータを含む）において、１０のべき乗数（たとえば２．５×１０-02）を、Ｅ（たとえば２．５Ｅ−０２）を用いて表すものとする。
【００５２】
［表１］
実施例1  
f=3.87mm    fB=0.53mm    F=2.4      2Y=6.26mm 
ENTP=0mm    EXTP=-2.44mm    H1=-1.18mm    H2=-3.34mm 
面番号  R(mm)   D(mm)   Nd          νd     有効半径(mm)    
1(絞り)  ∞    -0.119                       0.81    
2*      1.694   0.510   1.54470     56.2    0.84    
3*    -24.597   0.100                       0.88    
4*      8.565   0.200   1.63470     23.9    0.90    
5*      2.291   0.440                       0.92    
6*       ∞     0.654   1.54470     56.2    1.06    
7*       ∞     0.443                       1.26    
8*       ∞     0.643   1.54470     56.2    1.54    
9*     -1.085   0.284                       1.73    
10*    -5.275   0.353   1.54470     56.2    2.06    
11*     1.168   0.509                       2.42    
12       ∞     0.110   1.51630     64.1    2.87    
13       ∞                                 2.89    
非球面係数    
第2面                      第7面       
K=  0.10094E+00             K=  0.00000E+00
A4= -0.16504E-02            A4= -0.93948E-01
A6= -0.39059E-02            A6= 0.82402E-02
A8= -0.65815E-02            A8= -0.22819E-01
A10= 0.58197E-02            A10= 0.24216E-01
A12= -0.38647E-01           A12= -0.76010E-02
A14= -0.24100E-02           A14= 0.27613E-02
第3面                      第8面       
K=  0.80000E+02             K=  0.00000E+00
A4= 0.32696E-01             A4= -0.55604E-02
A6= -0.32515E-01            A6= 0.10887E-01
A8= -0.11195E-01            A8= -0.20592E-01
A10= -0.66684E-01           A10= 0.17177E-02
A12= -0.52119E-01           A12= 0.18886E-02
A14=  0.83845E-01           A14= -0.31032E-03
第4面                      第9面       
K=  -0.10866E+02            K=  -0.54435E+01
A4= -0.53208E-02            A4= -0.64397E-01
A6= 0.68369E-01             A6= 0.11019E+00
A8= -0.11730E+00            A8= -0.70061E-01
A10= -0.50068E-01           A10= 0.21466E-01
A12= 0.29153E-01            A12= -0.29684E-02
A14= 0.69245E-01            A14= 0.12231E-03
第5面                      第10面      
K=  -0.15771E+02            K=  -0.80000E+02
A4= 0.12533E+00             A4= -0.94079E-01
A6= -0.72932E-01            A6= 0.15771E-01
A8= 0.18876E+00             A8= 0.76466E-02
A10= -0.36693E+00           A10= -0.30309E-02
A12= 0.36047E+00            A12= 0.40603E-03
A14= -0.11652E+00           A14= -0.19829E-04
第6面                      第11面      
K=  0.00000E+00             K=  -0.74399E+01
A4= -0.96318E-01            A4= -0.73772E-01
A6= 0.33989E-02             A6= 0.24911E-01
A8= 0.62317E-01             A8= -0.61624E-02
A10= -0.95985E-01           A10= 0.90294E-03
A12= 0.11190E+00            A12= -0.73822E-04
A14= -0.38373E-01           A14= 0.27891E-05
単レンズデータ 
レンズ  始面    焦点距離(mm) 
1       2       2.929  
2       4      -4.990 
3       6       ∞  
4       8       1.992 
5      10      -1.722  
【００５３】
図５は実施例１の撮像レンズの断面図である。図中、Ｌ１は，正の屈折力を有し、物体側に凸面を向けた形状である第１レンズ、Ｌ２は、負の屈折力を有する第２レンズ、Ｌ３は、第３レンズ、Ｌ４は、正の屈折力を有する第４レンズ、Ｌ５は、負の屈折力を有し、像側面に極値を有する第５レンズであって、全てプラスチック製である。Sは第１レンズＬ１の物体側面頂点より像側且つ像側面より物体側に設けられた開口絞り、Iは撮像面を示す。また、Ｆは光学的ローパスフィルタやＩＲカットフィルタ、固体撮像素子のシールガラス等を想定した平行平板である。
【００５４】
図６は、実施例１の収差図（球面収差（ａ）、非点収差（ｂ）、歪曲収差（ｃ））である。尚、以降の収差図において、球面収差図では、実線がｄ線、点線がｇ線を表し、非点収差図では、実線Ｓがサジタル像面、点線Ｍがメリジオナル像面をあらわすものとする。図６（ａ）に示すように色収差が良好であり、図６（ｂ）に示すように像面湾曲も良好となっている。
【００５５】
（実施例２）
実施例２の撮像レンズのレンズデータを、表２に示す。
【００５６】
［表２］
実施例2 
f=4.36mm    fB=0.49mm    F=2.05      2Y=7.24mm 
ENTP=0mm    EXTP=-2.7mm    H1=-1.59mm    H2=-3.86mm 
面番号  R(mm)   D(mm)   Nd          νd     有効半径(mm)    
1(絞り)  ∞    -0.247                       1.06    
2*      1.898   0.700   1.54470     56.2    1.08    
3*    -19.951   0.090                       1.11    
4*      9.864   0.200   1.63470     23.9    1.11    
5*      2.534   0.516                       1.11    
6*       ∞     0.811   1.54470     56.2    1.24    
7*       ∞     0.502                       1.55    
8*     27.396   0.675   1.54470     56.2    2.03    
9*     -1.518   0.276                       2.31    
10*     3.723   0.365   1.54470     56.2    2.75    
11*     0.900   0.576                       2.97    
12       ∞     0.210   1.51630     64.1    3.30    
13       ∞                                 3.37    
非球面係数  
第2面                      第7面       
K=  -0.15503E+01            K=  0.00000E+00
A4= 0.23012E-01             A4= -0.54996E-01
A6= 0.30988E-01             A6= -0.15180E-01
A8= -0.77606E-01            A8= 0.13280E-01
A10= 0.93598E-01            A10= -0.68235E-02
A12= -0.54753E-01           A12= 0.29733E-02
A14= 0.96499E-02            A14= -0.32993E-03
第3面                      第8面       
K=  -0.50000E+02            K=  0.50000E+02
A3= 0.00000E+00             A3= -0.21034E-01
A4= -0.11856E-02            A4= 0.61080E-01
A5= 0.00000E+00             A5= -0.29925E-01
A6= 0.42035E-01             A6= -0.55976E-02
A8= -0.57472E-01            A8= 0.10669E-02
A10= 0.92500E-02            A10= -0.57966E-03
A12= 0.10420E-02            A12= 0.11066E-03
第4面                      第9面       
K=  0.52391E+02             K=  -0.81220E+01
A3= 0.00000E+00             A3= -0.95704E-01
A4= -0.66627E-01            A4= 0.77879E-01
A5= 0.00000E+00             A5= 0.28742E-02
A6= 0.15020E+00             A6= -0.31716E-02
A8= -0.14297E+00            A8= -0.15450E-02
A10= 0.34781E-01            A10= -0.52526E-03
A12= 0.53208E-02            A12= 0.23535E-03
A14= 0.00000E+00            A14= -0.21868E-04
第5面                      第10面      
K=  -0.63862E+01            K=  -0.31284E+02
A3= 0.00000E+00             A3= -0.21522E+00
A4= -0.23123E-01            A4= 0.27616E-01
A5= 0.00000E+00             A5= 0.18162E-01
A6= 0.14429E+00             A6= 0.13407E-02
A8= -0.13279E+00            A8= -0.46727E-03
A10= 0.63911E-01            A10= -0.18193E-04
A12= -0.84526E-02           A12= 0.25294E-05
A14= 0.00000E+00            A14= 0.16083E-07
第6面                      第11面      
K=  0.00000E+00             K=  -0.40193E+01
A3= 0.00000E+00             A3= -0.17722E+00
A4= -0.72182E-01            A4= 0.62963E-01
A5= 0.00000E+00             A5= -0.15585E-02
A6= 0.17347E-01             A6= -0.25822E-02
A8= -0.20279E-01            A8= -0.16495E-03
A10= 0.27572E-01            A10= 0.12349E-04
A12= -0.13407E-01           A12= 0.29105E-06
A14= 0.35886E-02            A14= 0.58876E-07
単レンズデータ 
レンズ  始面    焦点距離(mm)   
1       2       3.219 
2       4      -5.431  
3       6       ∞ 
4       8       2.663 
5      10      -2.283  
【００５７】
図７は実施例２の撮像レンズの断面図である。図中、Ｌ１は，正の屈折力を有し、物体側に凸面を向けた形状である第１レンズ、Ｌ２は、負の屈折力を有する第２レンズ、Ｌ３は、第３レンズ、Ｌ４は、正の屈折力を有する第４レンズ、Ｌ５は、負の屈折力を有し、像側面に極値を有する第５レンズであって、全てプラスチック製である。Sは第１レンズＬ１の物体側面頂点より像側且つ像側面より物体側に設けられた開口絞り、Iは撮像面を示す。また、Ｆは光学的ローパスフィルタやＩＲカットフィルタ、固体撮像素子のシールガラス等を想定した平行平板である。
【００５８】
図８は、実施例２の収差図（球面収差（ａ）、非点収差（ｂ）、歪曲収差（ｃ））である。図８（ａ）に示すように色収差が良好であり、図８（ｂ）に示すように像面湾曲も良好となっている。
【００５９】
（実施例３）
実施例３の撮像レンズのレンズデータを、表３に示す。
【００６０】
［表３］
実施例3 
f=4.38mm    fB=0.5mm    F=2.06      2Y=7mm  
ENTP=0mm    EXTP=-2.78mm    H1=-1.48mm    H2=-3.88mm 
面番号  R(mm)   D(mm)   Nd          νd     有効半径(mm)    
1(絞り)  ∞    -0.120                       1.07    
2*      1.897   0.690   1.54470     56.2    1.08    
3*    -42.421   0.090                       1.11    
4*      7.705   0.200   1.63470     23.9    1.11    
5*      2.508   0.510                       1.11    
6*       ∞     0.807   1.54470     56.2    1.22    
7*       ∞     0.493                       1.54    
8*     96.976   0.700   1.54470     56.2    1.83    
9*     -1.373   0.301                       2.08    
10*    11.988   0.373   1.54470     56.2    2.74    
11*     1.040   0.566                       2.96    
12       ∞     0.210   1.51630     64.1    3.28    
13       ∞                                 3.33    
非球面係数  
第2面                      第7面       
K=  -0.16188E+01            K=  0.00000E+00
A4= 0.29104E-01             A4= -0.51299E-01
A6= 0.23849E-02             A6= -0.21547E-01
A8= 0.14594E-02             A8= 0.24569E-01
A10= -0.15437E-01           A10= -0.14739E-01
A12= 0.17533E-01            A12= 0.47413E-02
A14= -0.97303E-02           A14= -0.38606E-03
第3面                      第8面       
K=  -0.50000E+02            K=  -0.50000E+02
A3= 0.00000E+00             A3= -0.17885E-01
A4= -0.10133E-01            A4= 0.35852E-01
A5= 0.00000E+00             A5= -0.43584E-01
A6= 0.59295E-01             A6= 0.53012E-02
A8= -0.10258E+00            A8= 0.10962E-02
A10= 0.43625E-01            A10= -0.17453E-02
A12= -0.82693E-02           A12= 0.40137E-03
第4面                      第9面       
K=  0.28455E+02             K=  -0.60941E+01
A3= 0.00000E+00             A3= -0.66865E-01
A4= -0.69895E-01            A4= 0.33007E-01
A5= 0.00000E+00             A5= 0.20918E-02
A6= 0.15143E+00             A6= -0.17116E-02
A8= -0.17848E+00            A8= -0.46769E-03
A10= 0.63841E-01            A10= -0.37868E-03
A12= -0.93471E-04           A12= 0.21362E-03
A14= 0.00000E+00            A14= -0.26689E-04
第5面                      第10面      
K=  -0.81152E+01            K=  -0.78021E+01
A3= 0.00000E+00             A3= -0.17780E+00
A4= 0.22135E-02             A4= 0.19401E-01
A5= 0.00000E+00             A5= 0.15321E-01
A6= 0.11783E+00             A6= 0.11965E-02
A8= -0.12874E+00            A8= -0.37207E-03
A10= 0.69063E-01            A10= -0.11997E-04
A12= -0.10077E-01           A12= 0.20629E-05
A14= 0.00000E+00            A14= -0.21474E-07
第6面                      第11面      
K=  0.00000E+00             K=  -0.49566E+01
A3= 0.00000E+00             A3= -0.13510E+00
A4= -0.59644E-01            A4= 0.51811E-01
A5= 0.00000E+00             A5= -0.64133E-02
A6= -0.66586E-02            A6= -0.78890E-03
A8= 0.34757E-01             A8= -0.88351E-04
A10= -0.37150E-01           A10= 0.37731E-05
A12= 0.21382E-01            A12= 0.86905E-06
A14= -0.38039E-02           A14= -0.67744E-08
単レンズデータ  
レンズ  始面    焦点距離(mm) 
1       2       3.353  
2       4      -5.947 
3       6       ∞ 
4       8       2.492 
5      10      -2.116 
【００６１】
図９は実施例３のレンズの断面図である。図中、Ｌ１は，正の屈折力を有し、物体側に凸面を向けた形状である第１レンズ、Ｌ２は、負の屈折力を有する第２レンズ、Ｌ３は、第３レンズ、Ｌ４は、正の屈折力を有する第４レンズ、Ｌ５は、負の屈折力を有し、像側面に極値を有する第５レンズであって、全てプラスチック製である。Sは第１レンズＬ１の物体側面頂点より像側且つ像側面より物体側に設けられた開口絞り、Iは撮像面を示す。また、Ｆは光学的ローパスフィルタやＩＲカットフィルタ、固体撮像素子のシールガラス等を想定した平行平板である。
【００６２】
図１０は、実施例３の収差図（球面収差（ａ）、非点収差（ｂ）、歪曲収差（ｃ））である。図１０（ａ）に示すように色収差が良好であり、図１０（ｂ）に示すように像面湾曲も良好となっている。
【００６３】
（実施例４）
実施例４の撮像レンズのレンズデータを、表４に示す。
【００６４】
［表４］
実施例4 
f=4.36mm    fB=0.55mm    F=2.05      2Y=7.24mm 
ENTP=0mm    EXTP=-2.76mm    H1=-1.38mm    H2=-3.81mm 
面番号  R(mm)   D(mm)   Nd          νd     有効半径(mm)    
1(絞り)  ∞    -0.248                       1.06    
2*      1.902   0.675   1.54470     56.2    1.08    
3*    -31.507   0.090                       1.11    
4*      7.954   0.201   1.63470     23.9    1.11    
5*      2.365   0.542                       1.11    
6*     16.505   0.698   1.54470     56.2    1.30    
7*     23.561   0.534                       1.54    
8*       ∞     0.781   1.54470     56.2    1.86    
9*     -1.276   0.297                       2.10    
10*     9.496   0.323   1.54470     56.2    2.75    
11*     0.992   0.536                       3.02    
12       ∞     0.210   1.51630     64.1    3.31    
13       ∞                                 3.36    
非球面係数  
第2面                      第7面       
K=  -0.14935E+01            K=  0.14084E-11
A4= 0.24219E-01             A4= -0.57020E-01
A6= 0.19383E-01             A6= 0.48586E-02
A8= -0.43942E-01            A8= -0.88058E-02
A10= 0.49897E-01            A10= 0.66138E-02
A12= -0.26524E-01           A12= -0.27144E-02
A14= 0.24929E-02            A14= 0.69290E-03
第3面                      第8面       
K=  -0.50000E+02            K=  0.49853E+02
A3= 0.00000E+00             A3= -0.22210E-01
A4= -0.15221E-01            A4= 0.31635E-01
A5= 0.00000E+00             A5= -0.37080E-01
A6= 0.63044E-01             A6= 0.68223E-02
A8= -0.68832E-01            A8= 0.89179E-03
A10= 0.12474E-01            A10= -0.18340E-02
A12= 0.10128E-03            A12= 0.38931E-03
第4面                      第9面       
K=  0.30138E+02             K=  -0.61196E+01
A3= 0.00000E+00             A3= -0.78969E-01
A4= -0.10036E+00            A4= 0.23743E-01
A5= 0.00000E+00             A5= 0.27144E-02
A6= 0.19635E+00             A6= 0.40233E-03
A8= -0.18095E+00            A8= -0.28221E-04
A10= 0.50778E-01            A10= -0.42108E-03
A12= 0.22828E-02            A12= 0.19002E-03
A14= 0.00000E+00            A14= -0.24769E-04
第5面                      第10面      
K=  -0.85400E+01            K=  -0.36918E+02
A3= 0.00000E+00             A3= -0.18092E+00
A4= -0.10756E-01            A4= 0.18095E-01
A5= 0.00000E+00             A5= 0.15591E-01
A6= 0.14421E+00             A6= 0.14010E-02
A8= -0.14211E+00            A8= -0.35674E-03
A10= 0.70901E-01            A10= -0.14824E-04
A12= -0.10931E-01           A12= 0.16191E-05
A14= 0.00000E+00            A14= 0.28788E-07
第6面                      第11面      
K=  -0.92942E-10            K=  -0.48440E+01
A3= 0.00000E+00             A3= -0.13967E+00
A4= -0.67155E-01            A4= 0.52027E-01
A5= 0.00000E+00             A5= -0.60303E-02
A6= 0.91518E-02             A6= -0.64972E-03
A8= 0.50877E-02             A8= -0.11399E-03
A10= -0.10163E-01           A10= 0.35917E-05
A12= 0.81407E-02            A12= 0.10181E-05
A14= -0.11967E-02           A14= -0.17277E-07
単レンズデータ 
レンズ  始面    焦点距離(mm) 
1       2       3.317 
2       4      -5.379  
3       6      97.769 
4       8       2.343  
5      10      -2.062 
【００６５】
図１１は実施例４のレンズの断面図である。図中、Ｌ１は，正の屈折力を有し、物体側に凸面を向けた形状である第１レンズ、Ｌ２は、負の屈折力を有する第２レンズ、Ｌ３は、第３レンズ、Ｌ４は、正の屈折力を有する第４レンズ、Ｌ５は、負の屈折力を有し、像側面に極値を有する第５レンズであって、全てプラスチック製である。Sは第１レンズＬ１の物体側面頂点より像側且つ像側面より物体側に設けられた開口絞り、Iは撮像面を示す。また、Ｆは光学的ローパスフィルタやＩＲカットフィルタ、固体撮像素子のシールガラス等を想定した平行平板である。
【００６６】
図１２は、実施例４の収差図（球面収差（ａ）、非点収差（ｂ）、歪曲収差（ｃ））である。図１２（ａ）に示すように色収差が良好であり、図１２（ｂ）に示すように像面湾曲も良好となっている。
【００６７】
（実施例５）
実施例５の撮像レンズのレンズデータを、表５に示す。
【００６８】
［表５］
実施例5 
f=4.36mm    fB=0.62mm    F=2.05      2Y=6.8mm  
ENTP=0mm    EXTP=-2.81mm    H1=-1.19mm    H2=-3.74mm  
面番号  R(mm)   D(mm)   Nd          νd     有効半径(mm)    
1(絞り)  ∞    -0.250                       1.06    
2*      1.882   0.627   1.54470     56.2    1.06    
3*    -13.553   0.090                       1.06    
4*      9.886   0.200   1.63470     23.9    1.07    
5*      2.211   0.581                       1.08    
6*    111.111   0.635   1.54470     56.2    1.21    
7*    -16.639   0.624                       1.45    
8*    -18.017   0.751   1.54470     56.2    1.74    
9*     -1.162   0.260                       1.96    
10*     6.772   0.300   1.54470     56.2    2.75    
11*     0.898   0.536                       2.82    
12       ∞     0.210   1.51630     64.1    3.08    
13       ∞                                 3.13    
非球面係数  
第2面                      第7面       
K=  -0.12896E+01            K=  -0.19830E-09
A4= 0.22910E-01             A4= -0.57424E-01
A6= 0.25968E-01             A6= -0.11542E-02
A8= -0.55082E-01            A8= -0.13908E-01
A10= 0.65093E-01            A10= 0.15401E-01
A12= -0.34387E-01           A12= -0.85431E-02
A14= 0.37163E-02            A14= 0.20275E-02
第3面                      第8面       
K=  -0.50000E+02            K=  -0.50000E+02
A3= 0.00000E+00             A3= -0.25403E-01
A4= 0.31031E-01             A4= 0.38021E-01
A5= 0.00000E+00             A5= -0.41212E-01
A6= -0.16796E-01            A6= 0.38743E-02
A8= 0.24032E-01             A8= 0.13156E-02
A10= -0.37010E-01           A10= -0.15592E-02
A12= 0.96628E-02            A12= 0.30573E-03
第4面                      第9面       
K=  0.52626E+02             K=  -0.57468E+01
A3= 0.00000E+00             A3= -0.69620E-01
A4= -0.52500E-01            A4= 0.21430E-01
A5= 0.00000E+00             A5= -0.45744E-03
A6= 0.82075E-01             A6= -0.53398E-03
A8= -0.44504E-01            A8= -0.46607E-06
A10= -0.27022E-01           A10= -0.39542E-03
A12= 0.19531E-01            A12= 0.19707E-03
A14= 0.00000E+00            A14= -0.24085E-04
第5面                      第10面      
K=  -0.74193E+01            K=  -0.24204E+02
A3= 0.00000E+00             A3= -0.17800E+00
A4= 0.19188E-02             A4= 0.16298E-01
A5= 0.00000E+00             A5= 0.15047E-01
A6= 0.10236E+00             A6= 0.13360E-02
A8= -0.99496E-01            A8= -0.34571E-03
A10= 0.52716E-01            A10= -0.11564E-04
A12= -0.79286E-02           A12= 0.18474E-05
A14= 0.00000E+00            A14= -0.18305E-07
第6面                      第11面      
K=  0.23533E-08             K=  -0.46655E+01
A3= 0.00000E+00             A3= -0.14236E+00
A4= -0.65611E-01            A4= 0.53444E-01
A5= 0.00000E+00             A5= -0.68339E-02
A6= -0.58960E-02            A6= -0.81339E-03
A8= 0.76055E-02             A8= -0.82754E-04
A10= -0.88991E-02           A10= 0.58887E-05
A12= 0.22301E-02            A12= 0.94894E-06
A14= 0.18576E-02            A14= -0.37067E-07
単レンズデータ    
レンズ  始面    焦点距離(mm) 
1       2       3.077 
2       4      -4.533  
3       6      26.615  
4       8       2.245  
5      10      -1.936  
【００６９】
図１３は実施例５のレンズの断面図である。図中、Ｌ１は，正の屈折力を有し、物体側に凸面を向けた形状である第１レンズ、Ｌ２は、負の屈折力を有する第２レンズ、Ｌ３は、第３レンズ、Ｌ４は、正の屈折力を有する第４レンズ、Ｌ５は、負の屈折力を有し、像側面に極値を有する第５レンズであって、全てプラスチック製である。Sは第１レンズＬ１の物体側面頂点より像側且つ像側面より物体側に設けられた開口絞り、Iは撮像面を示す。また、Ｆは光学的ローパスフィルタやＩＲカットフィルタ、固体撮像素子のシールガラス等を想定した平行平板である。
【００７０】
図１４は、実施例５の収差図（球面収差（ａ）、非点収差（ｂ）、歪曲収差（ｃ））である。図１４（ａ）に示すように色収差が良好であり、図１４（ｂ）に示すように像面湾曲も良好となっている。
【００７１】
（実施例６）
実施例６の撮像レンズのレンズデータを、表６に示す。
【００７２】
［表６］
実施例6 
f=3.94mm    fB=0.49mm    F=2.45      2Y=5.892mm  
ENTP=0mm    EXTP=-2.47mm    H1=-1.29mm    H2=-3.44mm 
面番号  R(mm)   D(mm)   Nd          νd     有効半径(mm)    
1(絞り)  ∞    -0.140                       0.80    
2*      1.599   0.484   1.54470     56.2    0.84    
3*     -7.518   0.100                       0.86    
4*     13.620   0.240   1.63470     23.9    0.88    
5*      1.768   0.451                       0.89    
6*     22.132   0.644   1.54470     56.2    1.02    
7*    -16.116   0.641                       1.27    
8*    -32.306   0.690   1.54470     56.2    1.72    
9*     -0.907   0.249                       1.91    
10*    -2.554   0.206   1.54470     56.2    2.47    
11*     1.124   0.462                       2.54    
12       ∞     0.110   1.51630     64.1    2.75    
13       ∞                                 2.77    
非球面係数  
第2面                      第7面       
K=  0.15608E+00             K=  -0.40526E-08
A4= 0.26114E-02             A4= -0.95299E-01
A6= 0.14802E-02             A6= 0.36286E-01
A8= -0.19924E-02            A8= -0.69581E-01
A10= 0.14722E-01            A10= 0.72559E-01
A12= -0.16361E-01           A12= -0.41496E-01
A14= -0.12772E-01           A14= 0.12182E-01
第3面                      第8面       
K=  0.19579E+02             K=  0.80000E+02
A4= 0.94806E-01             A4= -0.54291E-01
A6= -0.55519E-01            A6= 0.12516E-01
A8= 0.22190E-01             A8= -0.14020E-02
A10= -0.20103E-01           A10= -0.83882E-02
A12= -0.38682E-01           A12= 0.45189E-02
A14= 0.25259E-01            A14= -0.61277E-03
第4面                      第9面       
K=  -0.58141E+02            K=  -0.49520E+01
A4= -0.14366E-01            A4= -0.81439E-01
A6= 0.81593E-01             A6= 0.76665E-01
A8= -0.90885E-01            A8= -0.49336E-01
A10= -0.27929E-01           A10= 0.20804E-01
A12= 0.28246E-01            A12= -0.44555E-02
A14= 0.24862E-01            A14= 0.35944E-03
第5面                      第10面      
K=  -0.12671E+02            K=  -0.34364E+02
A4= 0.16517E+00             A4= -0.75877E-01
A6= -0.21552E+00            A6= 0.14785E-01
A8= 0.47467E+00             A8= 0.49796E-02
A10= -0.66024E+00           A10= -0.19889E-02
A12= 0.51502E+00            A12= 0.25138E-03
A14= -0.13527E+00           A14= -0.11330E-04
第6面                      第11面      
K=  -0.49495E+02            K=  -0.90778E+01
A4= -0.12127E+00            A4= -0.57331E-01
A6= 0.77233E-01             A6= 0.10184E-01
A8= -0.21238E+00            A8= -0.43340E-03
A10= 0.33331E+00            A10= -0.54091E-03
A12= -0.28990E+00           A12= 0.13166E-03
A14= 0.12163E+00            A14= -0.84301E-05
単レンズデータ 
レンズ  始面    焦点距離(mm)  
1       2       2.467 
2       4      -3.226  
3       6      17.223 
4       8       1.700  
5      10      -1.405 
【００７３】
図１５は実施例６のレンズの断面図である。図中、Ｌ１は，正の屈折力を有し、物体側に凸面を向けた形状である第１レンズ、Ｌ２は、負の屈折力を有する第２レンズ、Ｌ３は、第３レンズ、Ｌ４は、正の屈折力を有する第４レンズ、Ｌ５は、負の屈折力を有し、像側面に極値を有する第５レンズであって、全てプラスチック製である。Sは第１レンズＬ１の物体側面頂点より像側且つ像側面より物体側に設けられた開口絞り、Iは撮像面を示す。また、Ｆは光学的ローパスフィルタやＩＲカットフィルタ、固体撮像素子のシールガラス等を想定した平行平板である。
【００７４】
図１６は、実施例６の収差図（球面収差（ａ）、非点収差（ｂ）、歪曲収差（ｃ））である。図１６（ａ）に示すように色収差が良好であり、図１６（ｂ）に示すように像面湾曲も良好となっている。
【００７５】
（実施例７）
実施例７の撮像レンズのレンズデータを、表７に示す。
【００７６】
［表７］
実施例7 
f=3.82mm    fB=0.52mm    F=2.38      2Y=5.892mm  
ENTP=0mm    EXTP=-2.45mm    H1=-1.1mm    H2=-3.3mm  
面番号  R(mm)   D(mm)   Nd          νd     有効半径(mm)    
1(絞り)  ∞    -0.152                       0.80    
2*      1.582   0.451   1.54470     56.2    0.84    
3*     17.840   0.134                       0.85    
4*      3.843   0.100   1.63470     23.9    0.87    
5*      1.932   0.545                       0.88    
6*    -20.849   0.619   1.54470     56.2    1.08    
7*    -17.304   0.492                       1.28    
8*    -57.794   0.732   1.54470     56.2    1.60    
9*     -0.912   0.254                       1.77    
10*    -2.665   0.319   1.54470     56.2    2.11    
11*     1.138   0.483                       2.51    
12       ∞     0.110   1.51630     64.1    2.73    
13       ∞                                 2.75    
非球面係数 
第2面                      第7面       
K=  0.26137E+00             K=  0.13875E-08
A4= 0.69483E-02             A4= -0.71584E-01
A6= 0.56314E-02             A6= -0.11365E-01
A8= 0.14117E-02             A8= 0.31430E-02
A10= 0.13810E-01            A10= -0.76594E-03
A12= -0.18258E-01           A12= 0.75568E-03
A14= -0.87183E-02           A14= 0.19478E-02
第3面                      第8面       
K=  -0.80000E+02            K=  0.13479E+01
A4= 0.29459E-01             A4= -0.32466E-01
A6= -0.15009E-01            A6= 0.10348E-01
A8= 0.15743E-01             A8= -0.19192E-02
A10= -0.41185E-01           A10= -0.84382E-02
A12= -0.43521E-01           A12= 0.44907E-02
A14= 0.28836E-01            A14= -0.61332E-03
第4面                      第9面       
K=  -0.39438E+02            K=  -0.43325E+01
A4= -0.16801E-01            A4= -0.69727E-01
A6= 0.74750E-01             A6= 0.61821E-01
A8= -0.10676E+00            A8= -0.20507E-01
A10= -0.50468E-01           A10= 0.23644E-02
A12= 0.13447E-01            A12= 0.33812E-03
A14= 0.44851E-01            A14= -0.87216E-04
第5面                      第10面      
K=  -0.13662E+02            K=  -0.35824E+02
A4= 0.13293E+00             A4= -0.96453E-01
A6= -0.13102E+00            A6= 0.43772E-01
A8= 0.38930E+00             A8= -0.96085E-02
A10= -0.71896E+00           A10= 0.12144E-02
A12= 0.66790E+00            A12= -0.75727E-04
A14= -0.20643E+00           A14= 0.11199E-05
第6面                      第11面      
K=  -0.49511E+02            K=  -0.80952E+01
A4= -0.76696E-01            A4= -0.60952E-01
A6= -0.25600E-01            A6= 0.21997E-01
A8= 0.99764E-01             A8= -0.57221E-02
A10= -0.17025E+00           A10= 0.85135E-03
A12= 0.17058E+00            A12= -0.71393E-04
A14= -0.53580E-01           A14= 0.26985E-05
単レンズデータ   
レンズ  始面    焦点距離(mm)  
1       2       3.157  
2       4      -6.245  
3       6     175.984  
4       8       1.694  
5      10      -1.422  
【００７７】
図１７は実施例７のレンズの断面図である。図中、Ｌ１は，正の屈折力を有し、物体側に凸面を向けた形状である第１レンズ、Ｌ２は、負の屈折力を有する第２レンズ、Ｌ３は、第３レンズ、Ｌ４は、正の屈折力を有する第４レンズ、Ｌ５は、負の屈折力を有し、像側面に極値を有する第５レンズであって、全てプラスチック製である。Sは第１レンズＬ１の物体側面頂点より像側且つ像側面より物体側に設けられた開口絞り、Iは撮像面を示す。また、Ｆは光学的ローパスフィルタやＩＲカットフィルタ、固体撮像素子のシールガラス等を想定した平行平板である。
【００７８】
図１８は、実施例７の収差図（球面収差（ａ）、非点収差（ｂ）、歪曲収差（ｃ））である。図１８（ａ）に示すように色収差が良好であり、図１８（ｂ）に示すように像面湾曲も良好となっている。
【００７９】
（実施例８）
実施例８の撮像レンズのレンズデータを、表８に示す。
【００８０】
［表８］
実施例8 
f=3.81mm    fB=0.47mm    F=2.37      2Y=5.892mm 
ENTP=0mm    EXTP=-2.41mm    H1=-1.22mm    H2=-3.34mm  
面番号  R(mm)   D(mm)   Nd          νd     有効半径(mm)    
1(絞り)  ∞    -0.148                       0.80    
2*      1.580   0.469   1.54470     56.2    0.84    
3*    -58.138   0.113                       0.86    
4*      6.469   0.200   1.63470     23.9    0.87    
5*      1.994   0.499                       0.89    
6*    228.671   0.627   1.54470     56.2    1.07    
7*    -49.546   0.453                       1.31    
8*    -41.836   0.794   1.54470     56.2    1.63    
9*     -0.955   0.248                       1.86    
10*    -3.430   0.350   1.54470     56.2    2.36    
11*     1.113   0.436                       2.62    
12       ∞     0.110   1.51630     64.1    2.75    
13       ∞                                 2.78    
非球面係数 
第2面                      第7面       
K=  0.22369E+00             K=  0.10618E-08
A4= 0.42701E-02             A4= -0.77475E-01
A6= 0.42867E-02             A6= 0.65572E-02
A8= 0.12504E-02             A8= -0.16252E-01
A10= 0.11783E-01            A10= 0.12659E-01
A12= -0.21244E-01           A12= -0.42599E-02
A14= -0.73844E-02           A14= 0.22183E-02
第3面                      第8面       
K=  -0.80000E+02            K=  0.80000E+02
A4= 0.35413E-01             A4= -0.32494E-01
A6= -0.94444E-02            A6= 0.10102E-01
A8= 0.72434E-02             A8= -0.18018E-02
A10= -0.46554E-01           A10= -0.83567E-02
A12= -0.39754E-01           A12= 0.45022E-02
A14= 0.37007E-01            A14= -0.62002E-03
第4面                      第9面       
K=  -0.55742E+02            K=  -0.45113E+01
A4= -0.21098E-01            A4= -0.66737E-01
A6= 0.77130E-01             A6= 0.59409E-01
A8= -0.96022E-01            A8= -0.21868E-01
A10= -0.43108E-01           A10= 0.46107E-02
A12= 0.13556E-01            A12= -0.45435E-03
A14= 0.42523E-01            A14= -0.21952E-05
第5面                      第10面      
K=  -0.12756E+02            K=  -0.54343E+02
A4= 0.13841E+00             A4= -0.83717E-01
A6= -0.12116E+00            A6= 0.31320E-01
A8= 0.31070E+00             A8= -0.26924E-02
A10= -0.51084E+00           A10= -0.47755E-03
A12= 0.44879E+00            A12= 0.11321E-03
A14= -0.12701E+00           A14= -0.67234E-05
第6面                      第11面      
K=  -0.49511E+02            K=  -0.76449E+01
A4= -0.85904E-01            A4= -0.52254E-01
A6= 0.95012E-02             A6= 0.14225E-01
A8= 0.14995E-03             A8= -0.23872E-02
A10= -0.58347E-02           A10= 0.98307E-04
A12= 0.18534E-01            A12= 0.20306E-04
A14= -0.12372E-02           A14= -0.17666E-05
単レンズデータ 
レンズ  始面    焦点距離(mm) 
1       2       2.831 
2       4      -4.623 
3       6      74.821 
4       8       1.781 
5      10      -1.502 
【００８１】
図１９は実施例８のレンズの断面図である。図中、Ｌ１は，正の屈折力を有し、物体側に凸面を向けた形状である第１レンズ、Ｌ２は、負の屈折力を有する第２レンズ、Ｌ３は、第３レンズ、Ｌ４は、正の屈折力を有する第４レンズ、Ｌ５は、負の屈折力を有し、像側面に極値を有する第５レンズであって、全てプラスチック製である。Sは第１レンズＬ１の物体側面頂点より像側且つ像側面より物体側に設けられた開口絞り、Iは撮像面を示す。また、Ｆは光学的ローパスフィルタやＩＲカットフィルタ、固体撮像素子のシールガラス等を想定した平行平板である。
【００８２】
図２０は、実施例８の収差図（球面収差（ａ）、非点収差（ｂ）、歪曲収差（ｃ））である。図２０（ａ）に示すように色収差が良好であり、図２０（ｂ）に示すように像面湾曲も良好となっている。
【００８３】
（実施例９）
実施例９の撮像レンズのレンズデータを、表９に示す。
【００８４】
［表９］
実施例9 
f=3.78mm    fB=0.45mm    F=2.36      2Y=5.892mm 
ENTP=0mm    EXTP=-2.41mm    H1=-1.23mm    H2=-3.34mm 
面番号  R(mm)   D(mm)   Nd          νd     有効半径(mm)    
1(絞り)  ∞    -0.151                       0.80    
2*      1.579   0.473   1.54470     56.2    0.84    
3*    -23.567   0.105                       0.86    
4*      5.753   0.200   1.63470     23.9    0.87    
5*      1.787   0.511                       0.89    
6*     74.424   0.690   1.54470     56.2    1.07    
7*    -20.574   0.510                       1.34    
8*    -23.167   0.718   1.54470     56.2    1.70    
9*     -0.959   0.246                       1.89    
10*    -3.768   0.350   1.54470     56.2    2.52    
11*     1.082   0.411                       2.69    
12       ∞     0.110   1.51630     64.1    2.77    
13       ∞                                 2.79    
非球面係数  
第2面                      第7面       
K=  0.22615E+00             K=  0.10094E-08
A4= 0.49366E-02             A4= -0.75711E-01
A6= 0.19119E-02             A6= 0.12382E-01
A8= 0.37685E-02             A8= -0.32485E-01
A10= 0.12881E-01            A10= 0.29973E-01
A12= -0.22089E-01           A12= -0.14572E-01
A14= -0.66021E-03           A14= 0.41388E-02
第3面                      第8面       
K=  -0.80000E+02            K=  0.79966E+02
A4= 0.42994E-01             A4= -0.40372E-01
A6= -0.95857E-02            A6= 0.10695E-01
A8= 0.63600E-02             A8= -0.15250E-02
A10= -0.35630E-01           A10= -0.82627E-02
A12= -0.27026E-01           A12= 0.45124E-02
A14= 0.27333E-01            A14= -0.62166E-03
第4面                      第9面       
K=  -0.80000E+02            K=  -0.45461E+01
A4= -0.22184E-01            A4= -0.76482E-01
A6= 0.84491E-01             A6= 0.68529E-01
A8= -0.86098E-01            A8= -0.32004E-01
A10= -0.38291E-01           A10= 0.99385E-02
A12= 0.10138E-01            A12= -0.17301E-02
A14= 0.35882E-01            A14= 0.11831E-03
第5面                      第10面      
K=  -0.11916E+02            K=  -0.64449E+02
A4= 0.15085E+00             A4= -0.82784E-01
A6= -0.16261E+00            A6= 0.38601E-01
A8= 0.39054E+00             A8= -0.75428E-02
A10= -0.55741E+00           A10= 0.80211E-03
A12= 0.42909E+00            A12= -0.44114E-04
A14= -0.10381E+00           A14= 0.91248E-06
第6面                      第11面      
K=  -0.49511E+02            K=  -0.72722E+01
A4= -0.87360E-01            A4= -0.51522E-01
A6= 0.23320E-01             A6= 0.15560E-01
A8= -0.56395E-01            A8= -0.30542E-02
A10= 0.80772E-01            A10= 0.25104E-03
A12= -0.59953E-01           A12= 0.31274E-05
A14= 0.26965E-01            A14= -0.95907E-06
単レンズデータ  
レンズ  始面    焦点距離(mm)  
1       2       2.734 
2       4      -4.164 
3       6      29.667 
4       8       1.815 
5      10      -1.505 
【００８５】
図２１は実施例９のレンズの断面図である。図中、Ｌ１は，正の屈折力を有し、物体側に凸面を向けた形状である第１レンズ、Ｌ２は、負の屈折力を有する第２レンズ、Ｌ３は、第３レンズ、Ｌ４は、正の屈折力を有する第４レンズ、Ｌ５は、負の屈折力を有し、像側面に極値を有する第５レンズであって、全てプラスチック製である。Sは第１レンズＬ１の物体側面頂点より像側且つ像側面より物体側に設けられた開口絞り、Iは撮像面を示す。また、Ｆは光学的ローパスフィルタやＩＲカットフィルタ、固体撮像素子のシールガラス等を想定した平行平板である。
【００８６】
図２２は、実施例９の収差図（球面収差（ａ）、非点収差（ｂ）、歪曲収差（ｃ））である。図２２（ａ）に示すように色収差が良好であり、図２２（ｂ）に示すように像面湾曲も良好となっている。
【００８７】
（実施例１０）
実施例１０の撮像レンズのレンズデータを、表１０に示す。
【００８８】
［表１０］
実施例10 
f=3.77mm    fB=0.43mm    F=2.35      2Y=5.892mm 
ENTP=0mm    EXTP=-2.38mm    H1=-1.28mm    H2=-3.34mm 
面番号  R(mm)   D(mm)   Nd          νd     有効半径(mm)    
1(絞り)  ∞    -0.147                       0.80    
2*      1.582   0.467   1.54470     56.2    0.85    
3*    -25.884   0.108                       0.86    
4*      5.683   0.200   1.63470     23.9    0.87    
5*      1.793   0.531                       0.89    
6*     18.931   0.654   1.54470     56.2    1.11    
7*    261.510   0.469                       1.35    
8*     46.734   0.825   1.54470     56.2    1.67    
9*     -0.989   0.238                       1.93    
10*    -3.036   0.350   1.54470     56.2    2.50    
11*     1.149   0.392                       2.68    
12       ∞     0.110   1.51630     64.1    2.78    
13       ∞                                 2.80    
非球面係数 
第2面                      第7面       
K=  0.23241E+00             K=  0.10541E-08
A4= 0.46745E-02             A4= -0.84890E-01
A6= 0.41949E-02             A6= 0.19763E-01
A8= 0.30771E-02             A8= -0.33836E-01
A10= 0.12419E-01            A10= 0.26695E-01
A12= -0.21561E-01           A12= -0.10804E-01
A14= 0.96906E-03            A14= 0.29115E-02
第3面                      第8面       
K=  -0.80000E+02            K=  -0.80000E+02
A4= 0.42964E-01             A4= -0.43054E-01
A6= -0.71608E-02            A6= 0.10424E-01
A8= 0.61024E-02             A8= -0.16289E-02
A10= -0.38872E-01           A10= -0.83476E-02
A12= -0.27987E-01           A12= 0.44837E-02
A14= 0.32827E-01            A14= -0.62406E-03
第4面                      第9面       
K=  -0.80000E+02            K=  -0.47091E+01
A4= -0.20702E-01            A4= -0.62737E-01
A6= 0.82546E-01             A6= 0.53198E-01
A8= -0.90346E-01            A8= -0.20938E-01
A10= -0.40134E-01           A10= 0.47642E-02
A12= 0.10959E-01            A12= -0.48312E-03
A14= 0.39548E-01            A14= 0.11377E-05
第5面                      第10面      
K=  -0.12248E+02            K=  -0.40238E+02
A4= 0.15579E+00             A4= -0.89499E-01
A6= -0.17242E+00            A6= 0.40006E-01
A8= 0.39480E+00             A8= -0.71640E-02
A10= -0.55344E+00           A10= 0.64871E-03
A12= 0.41256E+00            A12= -0.25850E-04
A14= -0.93192E-01           A14= 0.14063E-06
第6面                      第11面      
K=  -0.49511E+02            K=  -0.77895E+01
A4= -0.84729E-01            A4= -0.48335E-01
A6= 0.21570E-01             A6= 0.13275E-01
A8= -0.33411E-01            A8= -0.21773E-02
A10= 0.40500E-01            A10= 0.46852E-04
A12= -0.22513E-01           A12= 0.26771E-04
A14= 0.10158E-01            A14= -0.19903E-05
単レンズデータ  
レンズ  始面    焦点距離(mm) 
1       2       2.754  
2       4      -4.213  
3       6      37.433 
4       8       1.789 
5      10      -1.486  
【００８９】
図２３は実施例１０のレンズの断面図である。図中、Ｌ１は，正の屈折力を有し、物体側に凸面を向けた形状である第１レンズ、Ｌ２は、負の屈折力を有する第２レンズ、Ｌ３は、第３レンズ、Ｌ４は、正の屈折力を有する第４レンズ、Ｌ５は、負の屈折力を有し、像側面に極値を有する第５レンズであって、全てプラスチック製である。Sは第１レンズＬ１の物体側面頂点より像側且つ像側面より物体側に設けられた開口絞り、Iは撮像面を示す。また、Ｆは光学的ローパスフィルタやＩＲカットフィルタ、固体撮像素子のシールガラス等を想定した平行平板である。
【００９０】
図２４は、実施例１０の収差図（球面収差（ａ）、非点収差（ｂ）、歪曲収差（ｃ））である。図２４（ａ）に示すように色収差が良好であり、図２４（ｂ）に示すように像面湾曲も良好となっている。
【００９１】
各条件式に対応する各実施例の値を表１１に示す。
【００９２】
【表１１】
2015084066.tif 000004
【００９３】
また、本発明は、明細書に記載の実施例に限定されるものではなく、他の実施例・変形例を含むことは、本明細書に記載された実施例や思想から本分野の当業者にとって明らかである。例えば、実質的に屈折力を持たないダミーレンズを更に付与した場合でも本発明の適用範囲内である。また、実施例では、開口絞りが第１レンズの物体側面頂点より像側且つ像側面より物体側に設けられたものを示したが、第１レンズの像側面より物体側に配置されているものであればよい。
【産業上の利用可能性】
【００９４】
本発明は、小型の携帯端末に好適な撮像レンズを提供できる。
【符号の説明】
【００９５】
１０ 撮像装置
１１ａ 光電変換部
１１ 撮像素子
１２ 撮像レンズ
１３ 鏡枠
１５ 基板
６０            入力キー部
６５            表示部
７０            タッチパネル
７１            レリーズボタン
８０            無線通信部
９２            記憶部
１００            スマートフォン
１０１            制御部
Ｉ  撮像面
Ｆ 平行平板
Ｌ１〜Ｌ５ レンズ
Ｓ 開口絞り
ＳＰ  スペーサ
【図１】
2015084066.tif 000005
【図２】
2015084066.tif 000006
【図３】
2015084066.tif 000007
【図４】
2015084066.tif 000008
【図５】
2015084066.tif 000009
【図６】
2015084066.tif 000010
【図７】
2015084066.tif 000011
【図８】
2015084066.tif 000012
【図９】
2015084066.tif 000013
【図１０】
2015084066.tif 000014
【図１１】
2015084066.tif 000015
【図１２】
2015084066.tif 000016
【図１３】
2015084066.tif 000017
【図１４】
2015084066.tif 000018
【図１５】
2015084066.tif 000019
【図１６】
2015084066.tif 000020
【図１７】
2015084066.tif 000021
【図１８】
2015084066.tif 000022
【図１９】
2015084066.tif 000023
【図２０】
2015084066.tif 000024
【図２１】
2015084066.tif 000025
【図２２】
2015084066.tif 000026
【図２３】
2015084066.tif 000027
【図２４】
2015084066.tif 000028
【図２５】
2015084066.tif 000029
【図２６】
2015084066.tif 000030